(57)【要約】【課題】対象物に対する表示体の設置態様の汎用性が高い表示体の提供すること。【解決手段】複数の部材２，３を組み合わせて構成され複数の面部２１，２２，２３，３１，３２，３３を有する多面体５を具備し、複数の面部２１，２２，２３，３１，３２，３３の少なくとも一つの面部は対象物への固定面部２１であり、固定面部２１以外の少なくとも一つの面部３１，３２，３３に識別表示がなされている。【選択図】図３
2018072628.tif 000002
【特許請求の範囲】
【請求項１】
複数の部材を組み合わせて構成され複数の面部を有する多面体を具備し、前記複数の面部の少なくとも一つの面部は対象物への固定面部であり、前記固定面部以外の少なくとも一つの面部に識別表示がなされていることを特徴とする表示体。
【請求項２】
前記多面体の内側から前記固定面部を有する面部を対象物に向けて固定する固定具を有していることを特徴とする請求項１に記載の表示体。
【請求項３】
前記多面体は、内部に空隙を有する箱状を成すことを特徴とする請求項１または２に記載の表示体。
【請求項４】
前記固定面部を有する部材は、前記固定面部とは異なる前記多面体を構成する面部を備えていることを特徴とする請求項１ないし３のいずれかに記載の表示体。
【請求項５】
前記複数の部材は、凹凸嵌合により一体化されることを特徴とする請求項１ないし４のいずれかに記載の表示体。
【請求項６】
前記多面体は、立方体であることを特徴とする請求項１ないし５のいずれかに記載の表示体。
【請求項７】
前記複数の部材は、断面コ字形状の二部材から構成されていることを特徴とする請求項６に記載の表示体。
【請求項８】
前記多面体は、水平方向に連続する少なくとも三つの面部に識別表示がなされていることを特徴とする請求項１ないし７のいずれかに記載の表示体。
【発明の詳細な説明】
【技術分野】
【０００１】
本発明は、識別情報等を掲示する表示体に関する。
【背景技術】
【０００２】
例えば、スーパーマーケットや図書館には、同じような外観をした多数の棚が等間隔に配置されている。これらの棚の個々の配置や、収容されている商品や本の種類を分かり易くするため、棚に識別番号を振り分け、その識別番号が表示された表示体を棚の側面や上面に取付け、案内表示するようにすることが求められている。
【０００３】
また、特許文献１には、帯状プラスチック板を二つ折り状に折曲加工し、その二つの折曲片の外表面に識別情報を表示するとともに、各折曲片の自由端部を外方へ向かってＬ字状に折曲加工し、これら折曲加工された端縁部分を対象物に対して固定する固定部とした表示体が開示されている。
【先行技術文献】
【特許文献】
【０００４】
【特許文献１】実公昭６１−２０３７７３号公報（第１頁、第１図）
【発明の概要】
【発明が解決しようとする課題】
【０００５】
特許文献１のような表示体は、表示面が２面にしか形成されていないため、棚等の什器に対して上記表示体を取付けようとすると、表示体の設置位置や設置角度等によっては、表示面が見難くなる場所が生じる虞があり、什器等の対象物に対する表示体の設置態様の汎用性が低かった。
【０００６】
本発明は、このような問題点に着目してなされたもので、対象物に対する表示体の設置態様の汎用性が高い表示体の提供を目的とする。
【課題を解決するための手段】
【０００７】
前記課題を解決するために、本発明の表示体は、
複数の部材を組み合わせて構成され複数の面部を有する多面体を具備し、前記複数の面部の少なくとも一つの面部は対象物への固定面部であり、前記固定面部以外の少なくとも一つの面部に識別表示がなされていることを特徴としている。
この特徴によれば、多面体の構造上、固定面部以外の面部を表示面として利用可能であり、その表示面が多方向に配置され得ることから、対象物に対する表示体の設置態様の汎用性が高く、識別情報を視認しやすい。また、多面体は、複数の部材を組み合わせて簡素に構成することができる。
【０００８】
前記多面体の内側から前記固定面部を有する面部を対象物に向けて固定する固定具を有していることを特徴としている。
この特徴によれば、固定面部を有する部材を多面体の内側から固定具により対象物に固定した後、該固定面部を有する部材に他の部材を組み合わせて多面体を構成しているため、多面体の内側に位置する固定具が複数の面部により覆われて外部から視認不能または視認困難となり、美観が向上する。
【０００９】
前記多面体は、内部に空隙を有する箱状を成すことを特徴としている。
この特徴によれば、表示体を軽量に構成できるため、取扱い易い。
【００１０】
前記固定面部を有する部材は、前記固定面部とは異なる前記多面体を構成する面部を備えていることを特徴としている。
この特徴によれば、固定面部を有する面部とは異なる面部を利用して固定面部を有する部材を他の部材と組み合わせることができるため、表示体の組み立て構造を簡素化できる。
【００１１】
前記複数の部材は、凹凸嵌合により一体化されることを特徴としている。
この特徴によれば、ネジや連結具等を使用せず簡単に表示体を組み立てることができる。
【００１２】
前記多面体は、立方体であることを特徴としている。
この特徴によれば、表示面の大きさを統一することができる。
【００１３】
前記複数の部材は、断面コ字形状の二部材から構成されていることを特徴としている。
この特徴によれば、立方体の表示体を構成し易い。
【００１４】
前記多面体は、水平方向に連続する少なくとも三つの面部に識別表示がなされていることを特徴としている。
この特徴によれば、水平方向に連続して３つ以上の識別表示がなされるため、表示された情報を識別し易い。
【図面の簡単な説明】
【００１５】
【図１】表示体が取付けられた棚を示す斜視図である。
【図２】表示体の構造を示す分解斜視図である。
【図３】（ａ）は表示体の構造を示す縦断面図、（ｂ）は同じく横断面図である。
【図４】（ａ）は表示体を正面から見た状態を示す概略図、（ｂ）は表示体を右斜め方向から見た状態を示す概略図、（ｃ）は表示体を左斜め方向から見た状態を示す概略図である。
【図５】表示体の変形例を示す斜視図である。
【図６】（ａ）〜（ｃ）は、表示体のその他の変形例を示す概念図である。
【発明を実施するための形態】
【００１６】
本発明に係る表示体を実施するための形態を実施例に基づいて以下に説明する。
【実施例１】
【００１７】
実施例１に係る表示体につき、図１から図５を参照して説明する。以下、図３（ａ）の紙面左側を表示体の正面側（前方側）とし、表示体の正面側から見て左右側を表示体の左右として説明する。
【００１８】
図１に示されるように、図書館には、書籍を収納する複数の書架９，９，…が等間隔に配置されている（図１では２つのみ図示）。各書架９，９，…の正面９ａ，９ａ，…の上端及び図示しない背面の上端には、識別番号（識別表示）としてアラビア数字の「１０」、「１１」がそれぞれ印刷された表示体１，１，…が設置されており、この表示体１，１，…により該識別番号が表示されている。これにより、利用者が所望の書籍が収容された書架９を判別することができるようになっている。
【００１９】
尚、本実施例では、表示体１，１，…に表示される識別情報として、書架９，９，…の識別番号（アラビア数字）を採用する形態を例示するが、これに限られず、例えば、記号や図形、色等を識別情報としてもよい。
【００２０】
図２及び図３に示されるように、表示体１は、多面体５に識別表示が表示されたものであり、断面コ字形状の第１構成部材２及び第２構成部材３と、書架９に対して第１構成部材２を固定するビス４，４（固定具）と、識別表示から主に構成されており、第１構成部材２及び第２構成部材３は、組み立てられた状態において立方体の多面体５となる（特に図３参照）。このように、第１構成部材２及び第２構成部材３は、断面コ字形状であるため、組み合わせるだけで立方体の多面体５を構成し易くなっている。
【００２１】
第１構成部材２は、金属製の板材を折曲加工することにより断面コ字形状に形成されており、書架９の正面９ａと略平行に延びる第１板部２１（固定面部）と、第１板部２１の上端から前方側に延びる第２板部２２（面部）と、第１板部２１の下端から前方側に延びる第３板部２３（面部）と、を備える。
【００２２】
第１板部２１には、左右に離間して２つの孔部２１ａ，２１ａが形成されているとともに、第１板部２１の左右両端縁の中央側には、前方側に突出する立上片２１ｂ，２１ｂが第１板部２１から折り曲げられて形成されている。この立上片２１ｂ，２１ｂは、第２板部２２及び第３板部２３から所定距離離間しているとともに、第２板部２２及び第３板部２３よりも前方側への寸法が短い。
【００２３】
また、第２板部２２及び第３板部２３の内面には、金属片７，７がそれぞれ固着されている。金属片７，７は、第２板部２２及び第３板部２３の内面に沿って延びる第１平行部７ａ，７ａと、第１平行部７ａ，７ａにおける第１板部２１とは反対側の端部から内側に延出する直交部７ｂ，７ｂと、直交部７ｂ，７ｂの内側先端から第１板部２１とは反対側に向けて延びる第２平行部７ｃ，７ｃと、を有し、第１平行部７ａ，７ａは、第２板部２２及び第３板部２３の内面に溶接等により固着されている。すなわち、第２板部２２及び第３板部２３の内面側には、第２板部２２及び第３板部２３の内面と直交部７ｂ，７ｂと第２平行部７ｃ，７ｃとにより、前方側に開口する凹部６，６が形成されている。尚、第２平行部７ｃ，７ｃには、上下に貫通する貫通孔７ｄ，７ｄがそれぞれ形成されている。
【００２４】
第２構成部材３は、金属製の板材を折曲加工することにより断面視コ字形状に形成されており、正面に配置される第４板部３１（面部）と、第４板部３１の右端から後方側に延びる第５板部３２（面部）と、第４板部３１の左端から後方側に延びる第６板部３３（面部）と、を備える。これら第４板部３１、第５板部３２及び第６板部３３には、書架９の識別番号であるアラビア数字の「１０」、「１１」が表示されている（図１及び図４参照）。
【００２５】
第４板部３１の上端及び下端には、断面Ｌ字形状の金属製の屈曲片８，８が取付けられている。屈曲片８，８は、第４板部３１の内面に溶接などで固着される固着部８ａ，８ａと、固着部８ａ，８ａの上端及び下端から後方に突出する突出部８ｂ，８ｂが形成されており、突出部８ｂ，８ｂには、内向きに突出する突起８ｃ，８ｃがそれぞれ形成されている。この突起８ｃ，８ｃは、薄板状の突出部８ｂ，８ｂをプレス加工することにより曲面形状に形成されているため、弾性変形可能となっている。
【００２６】
また、第５板部３２及び第６板部３３の上端辺及び下端辺には、内側に沿って突出する案内片１０，１０，…がそれぞれ形成されている。尚、案内片１０，１０，…は、断面Ｌ字状の金具により形成されている。
【００２７】
表示体１を書架９に取付ける際には、図２及び図３に示されるように、先ず、第１構成部材２の第１板部２１の内側（多面体の内側、厳密には多面体を構成したときの多面体の内側）から孔部２１ａ，２１ａを介してビス４，４を打ち込むことにより第１構成部材２を書架９の正面９ａに固定する。
【００２８】
次いで、第１構成部材２に対して第２構成部材３を組み付ける。このときには、第２構成部材３の突出部８ｂ，８ｂが第１構成部材２の凹部６，６内に挿入される。詳しくは、突出部８ｂ，８ｂに設けられた各突起８ｃ，８ｃは、凹部６，６における第２板部２２及び第３板部２３の内面と第２平行部７ｃ，７ｃとの間で圧接されるため、弾性変形しながら漸次凹部６，６内に挿入される。尚、第２平行部７ｃ，７ｃも金属製の薄板により構成されており、弾性変形可能となっているため、突出部８ｂ，８ｂの凹部６，６内への挿入がし易くなっている。
【００２９】
各突起８ｃ，８ｃは、第２平行部７ｃ，７ｃに設けられた各貫通孔７ｄ，７ｄに到達すると弾性復元するため、各突起８ｃ，８ｃと各貫通孔７ｄ，７ｄとが凹凸嵌合して、第１構成部材２と第２構成部材３とが組み付けられ、表示体１の書架９への設置が完了する。
【００３０】
このように、表示体１の設置後には、ビス４，４が表示体１の内部に配置される。詳しくは、第１板部２１を有する第１構成部材２を多面体５の内側からビス４，４により書架９に固定した後、第１構成部材２に第２構成部材３を組み合わせて多面体５を構成し、第１構成部材２及び第２構成部材はいずれも非透明の金属であるため、多面体５の内側に位置するビス４，４は、第１構成部材２の第２板部２２及び第３板部２３と第２構成部材３の第５板部３２及び第６板部３３とにより覆われて、外部から視認不能となり、美観が向上する。さらに、第１構成部材２をビス４，４により固定した後、安定した状態の第１構成部材２に対して第２構成部材３を組み付けるため、第１構成部材２と第２構成部材３との組み付け作業を簡便に行うことができる。
【００３１】
また、書架９への固定面部である第１板部２１を有する第１構成部材２は、第１板部２１以外にも多面体５を構成する第２板部２２及び第３板部２３を備えている。これによれば、第２板部２２及び第３板部２３を利用して、第２構成部材３と組み合わせることができるため、多面体５の組み立て構造を簡素化できる。
【００３２】
具体的には、第１構成部材２の第２板部２２及び第３板部２３に対して、第２構成部材３を組み付けるための部位（凹部６，６等）を形成することができるため、例えば、第２構成部材３を組み付けるための部位を形成するために第１板部２１の板厚を厚く形成したり、溶接等の煩雑な組み付け加工等を必要としない。尚、第２板部２２及び第３板部２３に対して第２構成部材３の荷重を預けることができる。
【００３３】
また、多面体５は、断面コ字形状の第１構成部材２及び第２構成部材３から構成されていることから、立方体の箱状を成し、内部には空隙が形成されている。つまり、多面体５は、中実の多面体に比べて軽量に構成されているため、高所等への設置作業であっても取扱い易く、且つ設置後にビス４，４にかかる負荷を抑えることができる。
【００３４】
また、第１構成部材２と第２構成部材３とは、各突起８ｃ，８ｃと各貫通孔７ｄ，７ｄとの凹凸嵌合により一体化されるため、ネジや連結具等を使用せず簡単に多面体５を組み立てることができる。尚、第１構成部材２と第２構成部材３とを解体する際には、第１構成部材２と第２構成部材３との隙間にドライバー等の工具を入れ、凹部６，６の間隔を広げるようにして取外せばよい。
【００３５】
また、第１構成部材２に対して第２構成部材３を組み付ける際には、第１構成部材２の第２板部２２及び第３板部２３が第２構成部材３の案内片１０，１０，…の外面に案内されるとともに、第２構成部材３の第５板部３２及び第６板部３３が、第１構成部材２の立上片２１ｂ，２１ｂの外面に案内されるため、第１構成部材２に対して第２構成部材３を適正に組み付けやすい。
【００３６】
さらに、第１構成部材２と第２構成部材３との接合部近傍（多面体５の角部）は、突出部８ｂ，８ｂを構成する屈曲片８，８、第１板部２１から折り曲げられた立上片２１ｂ，２１ｂ、案内片１０，１０，…を構成する金具等により補強されるため、多面体５の構造強度を高めることができる。
【００３７】
次いで、設置された表示体１の視認性について図４を用いて説明する。尚、ここでは、理解を助けるために、表示体１の正面である第４板部３１の外面に便宜上網掛け部とし、該網掛け部を基準として説明する。
【００３８】
図４（ａ）に示されるように、表示体１を正面側から見た場合には、第４板部３１に表示された前記識別番号を視認することができる。また、図４（ｂ）に示されるように、表示体１の右斜め側から見た場合には、第４板部３１及び第５板部３２に表示された前記識別番号を視認することができる。尚、図示しないが表示体１の右側から見た場合には、第５板部３２に表示された前記識別番号のみを視認することができる。また、図４（ｃ）に示されるように、表示体１の左斜め側から見た際には、第４板部３１及び第６板部３３に表示された前記識別番号を視認することができる。尚、図示しないが表示体１の左側から見た場合には、第６板部３３に表示された前記識別番号のみを視認することができる。
【００３９】
このように、表示体１は、第２構成部材３において水平方向に連続する第４板部３１、第５板部３２及び第６板部３３に書架９の識別番号が表示されているため、表示体１における背面側（書架９側）以外の周囲のいずれの位置からも書架９の識別情報を視認することができる。
【００４０】
また、例えば、識別番号を表示する表示面が多面体を構成する複数の部材に形成される場合には、多面体を組み立てた際に識別番号の表示の向き等を合わせる煩雑な作業（識別番号の天地等を合わせる作業）が必要であるが、本実施例の表示体１は、識別番号を表示する第４板部３１、第５板部３２及び第６板部３３が１つの第２構成部材３に形成されているため、多面体５を組み立てた際に識別番号の表示の向き等を合わせる作業が簡便である。
【００４１】
尚、書架９，９，…の配置変更等を行う際には、第１構成部材２に対して、異なる識別番号が記載された別の第２構成部材に交換することで、書架９の識別情報の変更を簡便に行うことができる。
【００４２】
以上説明したように、表示体１は、第１板部２１、第２板部２２、第３板部２３、第４板部３１、第５板部３２及び第６板部３３を有する多面体５を具備しており、多面体５の構造上、書架９に固定される第１板部２１以外の第２板部２２、第３板部２３、第４板部３１、第５板部３２及び第６板部３３の外面を表示面として利用可能であり、その表示面が多方向に配置されることから、書架９に対する表示体１の設置態様の汎用性が高く、識別表示を視認しやすい。すなわち、書架９に対する設置位置や設置角度等に関わらず多方向から各表示面に表示された識別情報を視認することができる。言い換えれば、書架９に対する設置位置や設置角度等の表示体１の設置自由度が高い。
【００４３】
また、多面体５は、第１構成部材２及び第２構成部材３（複数の部材）を組み合わせて構成されているため、１つの部材から構成される多面体（例えば、鋳造により構成される金属製の多面体や射出成形等により構成されるプラスチック製の多面体等）に比べて簡素に構成することができるとともに、多面体の強度や表示面の位置等の設計変更にも対応しやすい。さらに、１つの部材から構成される多面体の場合、上記のように書架９に対しビス４，４により固定しようとすると、該多面体の外側に張り出すようにフランジなどの固定面部を形成しなければならないが、本実施例の多面体５は、第１構成部材２及び第２構成部材３から構成されているため、外側に張り出す固定面部を設けなくて済む。
【００４４】
尚、本実施例では、多面体５における第４板部３１、第５板部３２及び第６板部３３を識別情報を表示する表示面として利用する形態を例示したが、第２板部２２及び第３板部２３も表示面として利用してもよい。すなわち、固定面部（本実施例では第１板部２１）以外の面部を表示面として利用できる。
【００４５】
また、多面体５は、立方体であり、６つの正方形からなる第１板部２１、第２板部２２、第３板部２３、第４板部３１、第５板部３２及び第６板部３３を有することから、各方向に対する表示面の大きさを統一することができる。これにより、表示体１を見る方向によって識別情報の視認性が変化することが無いばかりか、美観に優れる。
【００４６】
次に、表示体の変形例について図５を用いて説明する。図５に示されるように、表示体１００は、透光性を有する合成樹脂により多面体５０が構成されている。この多面体５０の内部の空隙には、図示しない照明器具が内蔵されており、該照明器具が点灯することにより多面体５０が発光するようになっている（図５（ｂ）参照）。このような表示体１００を利用する場合、利用者が図書館内に設置された端末により所望の書籍を検索した際に、該書籍が収納された書架９の表示体１００が発光するようなシステムを構築することで、所望の書籍が収納された書架９を見つけやすくできる。
【００４７】
尚、本実施例では、書架９の正面９ａに表示体１が固定されていたが、これに限られず、例えば、書架９の上面に表示体１が固定されてもよい。この場合、第１板部２１を下に向けて設置すればよい。
【００４８】
また、前記実施例では、表示体１，１，…が取付けられる対象物として、図書館の書架９，９，…を例示したが、これに限られず、例えば、スーパーマーケットや倉庫等に配置される商品棚等であってもよい。また、対象物は、棚等の什器のみに限られず、建物を構成する柱や壁、天井面等の躯体であっても構わない。
【００４９】
尚、本実施例では、多面体５が断面コ字形状の第１構成部材２及び第２構成部材３から構成されている形態を例示したが、これに限られず、例えば図６（ａ）に示されるように、多面体５００は、断面Ｌ字形状の第１構成部材２００と、下面及び背面に亘って形成された開口部３００ａを有する第２構成部材３００と、を備え、第１構成部材２００の外周縁に第２構成部材３００の開口部３００ａを嵌合し、溶接などの所定の接続手段で接続することで構成されてもよい。これによれば、固定面部である第１構成部材２００に対して、表示面部として機能する第２構成部材３００を適宜別の表示面部を有する構成部材に変更すれば、表示体の識別表示の変更を容易に行うことができる。尚、第１構成部材２００に対して第２構成部材３００とは異なる形状の第２構成部材を取付け、表示体の設計変更を行うようにしてもよい。
【００５０】
また、図６（ａ）の多面体５００の変形例として次のようなものもある。例えば図６（ｂ）に示されるように、多面体５００’は、第２構成部材３００’が下方に先細りする錐台状を成し、上面に開口部３００ａ’が形成された箱体である。これによれば、例えば、多面体５００を建物の天井面に取付ける際に下方に居る利用者に識別表示を見やすくすることができる。
【００５１】
また、表示体の別の変形例として、例えば次のようなものもある。図６（ｃ）に示されるように、多面体５１０は、平面視六角形の平面部２１０Ａ，２１０Ｂを有する第１構成部材２１０と、第１構成部材２１０の周面に取付けられる断面く字状の板材から成る第２構成部材３１０，３１０，３１０と、を備えている。第１構成部材２１０は、平面部２１０Ａ，２１０Ｂの各角部において断面く字状の支持板材２１０Ｃ，２１０Ｃ，…により平面部２１０Ａ，２１０Ｂ同士の間が連結されたフレーム構造を成しており、第２構成部材３１０，３１０，３１０を取付けやすくなっている。このように、多面体は、立方体以外の多面体であってもよいし、３つ以上の構成部材から構成されていてもよい。尚、本変形例の場合、平面部２１０Ａ，２１０Ｂ、第２構成部材３１０，３１０，３１０の各面部のいずれか１つを固定面部とすればよい。
【００５２】
さらに、本実施例では、第１構成部材２及び第２構成部材３は、凹凸嵌合により組み付けられていたが、これに限られず、例えば、第１構成部材２及び第２構成部材３に互いに係合する係合部等を設け、これにより組み付けられるようになっていてもよいし、ボルトナット等の別の連結部材を用いて第１構成部材２及び第２構成部材３が組み付けられるようになっていてもよい。
【００５３】
また、表示体を対象物に固定する固定具としてビス４，４を例示したが、これに限られず、例えば、表示体の固定面部と対象物とに設けられるフックとフック孔等の係合部であってもよいし、固定面部と対象物との間に配置される両面テープ等であってもよい。
【００５４】
以上、本発明の実施例を図面により説明してきたが、具体的な構成はこれら実施例に限られるものではなく、本発明の要旨を逸脱しない範囲における変更や追加があっても本発明に含まれる。
【符号の説明】
【００５５】
１                表示体
２                第１構成部材（固定面部を有する部材）
３                第２構成部材（固定面部を有さない他の部材）
４                ビス（固定具）
５                多面体
７ｄ              貫通孔
８ｃ              突起
９                書架（対象物）
２１              第１板部（固定面部）
３１              第４板部（表示面部）
３２              第５板部（表示面部）
３３              第６板部（表示面部）
５０              多面体
１００            表示体
【図１】
2018072628.tif 000003
【図２】
2018072628.tif 000004
【図３】
2018072628.tif 000005
【図４】
2018072628.tif 000006
【図５】
2018072628.tif 000007
【図６】
2018072628.tif 000008